【手続補正書】
【提出日】平成26年10月15日(2014.10.15)
【手続補正１】
【補正対象書類名】明細書
【補正対象項目名】０００８
【補正方法】変更
【補正の内容】
【０００８】
上述の問題点を解決するため、本発明の画像処理装置は記録媒体上の同一領域に対して、Ｎ回（Ｎは２以上の整数）記録走査することにより画像を形成するための画像処理装置であって、入力画像データから注目する記録走査に対応する領域の画像データを読み出す読出し手段と、前記領域の画像データから、前記注目する記録走査に使用される前記入力画像データの階調数より低い階調数の記録データを生成する記録データ生成手段と、前記注目する記録走査をする前記記録媒体の搬送方向における理想的な位置からのずれ量を示す位置変動情報を取得する取得手段と、を有し、前記読出し手段は、前記位置変動情報に応じて、前記注目する記録走査に対応する前記領域の読出し位置を制御する。
【手続補正２】
【補正対象書類名】特許請求の範囲
【補正対象項目名】全文
【補正方法】変更
【補正の内容】
【特許請求の範囲】
【請求項１】
記録媒体上の同一領域に対して、Ｎ回（Ｎは２以上の整数）記録走査することにより画像を形成するための画像処理装置であって、
入力画像データから注目する記録走査に対応する領域の画像データを読み出す読出し手段と、
前記領域の画像データから、前記注目する記録走査に使用される前記入力画像データの階調数より低い階調数の記録データを生成する記録データ生成手段と、
前記注目する記録走査をする前記記録媒体の搬送方向における理想的な位置からのずれ量を示す位置変動情報を取得する取得手段と、
を有し、
前記読出し手段は、前記位置変動情報に応じて、前記注目する記録走査に対応する前記領域の読出し位置を制御することを特徴とする画像処理装置。
【請求項２】
前記読出し手段は、前記記録媒体の搬送方向における位置ずれがない場合の読出し位置に対して、前記位置変動情報だけ読み出し位置を変位させることを特徴とする請求項１に記載の画像処理装置。
【請求項３】
前記読出し手段は、前記位置変動情報が１画素の大きさより小さい位置変動成分を含む場合、前記読出し位置を変位させて領域を読出した後、前記領域の画像データを前記位置変動情報に応じて補間処理することを特徴とする請求項１または２に記載の画像処理装置。
【請求項４】
前記取得手段は、先行して記録された記録データを検出する検出手段と、前記検出された結果に基づいて、前記位置変動情報を算出する算出手段とを含むことを特徴とする請求項１乃至３の何れか一項に記載の画像処理装置。
【請求項５】
更に、前記記録データ生成手段は、前記領域の画像データに対して濃度補正することを特徴とする請求項１乃至４の何れか一項に記載の画像処理装置。
【請求項６】
前記画像処理装置は、記録ヘッドをＮ回記録走査させるマルチパス印刷により、前記記録媒体上に画像形成するインクジェット方式の画像形成装置のための画像処理装置であることを特徴とする請求項１乃至５の何れか一項に記載の画像処理装置。
【請求項７】
前記記録データ生成手段は、前記Ｎ回の記録走査のうち後続する記録走査で記録される濃度ほど小さくなるように、前記記録データを生成することを特徴とする請求項１乃至６の何れか一項に記載の画像処理装置。
【請求項８】
前記位置変動情報は、前記記録媒体の搬送量の変動を主な要因とする変動量であることを特徴とする請求項１乃至７の何れか一項に記載の画像処理装置。
【請求項９】
前記取得手段は、前記注目する記録走査の直前の記録走査により記録された画像をイメージセンサにより読み取り、該画像と前記直前の記録走査の記録データが示す画像との位置ズレ量に基づいて算出された前記位置変動情報を取得することを特徴とする請求項１乃至８の何れか一項に記載の画像処理装置。
【請求項１０】
前記取得手段はさらに、前記イメージセンサにより読み取られた前記直前の記録走査までに記録された画像が示す濃度と、前記直前までの記録走査に対応する記録データの濃度値の合計と、の差分により算出された濃度変動情報を取得し、
前記記録データ生成手段は、前記差分を補償するように、前記注目する記録走査に対応する領域の記録データを生成することを特徴とする請求項９に記載の画像処理装置。
【請求項１１】
前記イメージセンサは記録ヘッドに付設されていることを特徴とする請求項９または１０に記載の画像処理装置。
【請求項１２】
前記取得手段は、前記直前の記録走査時の搬送量を読み取り、該読み取った搬送量と目標とする搬送量との差に基づき算出された前記位置変動情報を取得することを特徴とする請求項１乃至８の何れか一項に記載の画像処理装置。
【請求項１３】
前記記録データ生成手段は、
前記読出し手段により読み出された領域の画像データに対してハーフトーン処理するハーフトーン処理手段と、
前記ハーフトーン処理された画像データを間引きパターンを使うことによりＮ回の記録走査に分割する分割手段と、
を有することを特徴とする請求項１乃至１２の何れか一項に記載の画像処理装置。
【請求項１４】
前記記録データ生成手段は、
前記読出し手段により読み出された領域の画像データをＮ回の記録走査に分割する分割手段と、
前記分割手段により分割された各記録走査に対応する画像データに対して、それぞれハーフトーン処理するハーフトーン処理手段と、
を有することを特徴とする請求項１乃至１２の何れか一項に記載の画像処理装置。
【請求項１５】
前記分割手段は、前記入力画像データの特徴量に応じて、前記記録走査のそれぞれに分割することを特徴とする請求項１４に記載の画像処理装置。
【請求項１６】
前記読出し手段は、前記位置変動情報に基づき、前記記録媒体が搬送方向における位置ずれがない場合に読みだす領域に対して隣接する画素ラインを追加して読み出す領域を拡張することを特徴とする請求項１乃至１５の何れか一項に記載の画像処理装置。
【請求項１７】
前記画像処理装置は、Ｎ色のプレーン画像を電子写真方式を用いて記録し、カラー画像を形成する画像形成装置のための画像処理装置であり、
前記記録データ生成手段は、前記読出し手段によって読み出された領域の画像データに対してハーフトーン処理することを特徴とする請求項１乃至５の何れか一項に記載の画像処理装置。
【請求項１８】
前記取得手段は、前記注目する記録走査の直前の記録走査により転写ベルトに記録された画像をセンサにより読み取り、該画像と、前記直前の記録走査の記録データが示す画像と、の差分に基づいて算出された前記位置変動情報を取得することを特徴とする請求項１７に記載の画像処理装置。
【請求項１９】
前記取得手段は、前記センサにより読み取られた前記直前の記録走査により転写ベルトに記録された画像に対し前記ハーフトーン処理の逆変換を適用して生成した画像と、前記直前の記録走査の記録データがより生成した画像と、の差分に基づいて算出された前記位置変動情報を取得することを特徴とする請求項１８に記載の画像処理装置。
【請求項２０】
前記取得手段はさらに、前記センサにより読み取られた前記直前の記録走査までに転写ベルトに記録された画像が示す濃度と、前記直前までの記録走査に対応する記録データの濃度値の合計と、の差分により算出された濃度変動情報を取得し、
前記記録データ生成手段は、前記差分を補償するように、前記注目する記録走査に対応する領域の記録データを生成することを特徴とする請求項１８または１９に記載の画像処理装置。
【請求項２１】
コンピュータに読み込み込ませ実行させることで、前記コンピュータを請求項１乃至２０の何れか一項に記載された画像処理装置の各手段として機能させることを特徴とするプログラム。
【請求項２２】
記録媒体上の同一領域に対して、Ｎ回（Ｎは２以上の整数）記録走査することにより画像を形成するための画像処理方法であって、
読出し手段が、入力画像データから注目する記録走査に対応する領域の画像データを読み出す読出し工程と、
記録データ生成手段が、前記領域の画像データから前記注目する記録走査に使用される記録データを生成する記録データ生成工程と、
取得手段が、前記注目する記録走査をする前記記録媒体の搬送方向における理想的な位置からのずれ量を示す位置変動情報を取得する取得工程と、
を含み、
前記読出し工程では、前記位置変動情報に基づいて、前記注目する記録走査に対応する前記領域の読出し位置を制御することを特徴とする画像処理方法。